(57)【特許請求の範囲】
【請求項１】
サッシ等に設置されて、施錠、解錠信号を送信する複数の子機と、複数の子機からの施錠、解錠信号を受信して、各子機に対応するサッシ等の施錠、解錠状態を表示する親機とを備えた戸締まり確認システムにおいて、
各子機のアドレスと親機のＩＤを相互に設定する登録モードに親機を設定し、子機のいずれかから親機に対し当該子機の登録操作を示す信号と施錠又は解錠信号が規定の時間内に順に送信された場合に、当該子機に対して親機から親機のＩＤ及び当該子機に割り当てるアドレスを表す信号を送信し、当該子機にアドレスと親機のＩＤを設定する設定手段を備えた
ことを特徴とする戸締まり確認システム。
【請求項２】
前記子機は、登録操作のための登録スイッチを有し、当該登録スイッチに対する操作状態が一定時間継続した場合に前記登録操作を示す信号を送信する
ことを特徴とする請求項１に記載の戸締まり確認システム。
【請求項３】
前記親機は、各子機に対応するサッシ等の施錠、解錠状態を、子機ごとに割り当てられるＬＥＤの点灯状態で表示する表示装置を有し、前記登録モードに設定された場合には、登録対象の子機が割り当てられるＬＥＤの表示状態を点滅表示に変える
ことを特徴とする請求項１又は２に記載の戸締まり確認システム。
【請求項４】
前記親機は、前記登録モードにおいて子機を登録した場合、当該子機が割り当てられた前記表示装置のＬＥＤの表示状態を点灯状態に変え、次の子機が割り当てられるＬＥＤの表示状態を点滅表示に変える
ことを特徴とする請求項３に記載の戸締まり確認システム。
【請求項５】
前記親機は、前記子機から前記登録操作を示す信号を受信した時と、当該子機から前記施錠又は解錠信号を受信した時とで異なる報音を行う
ことを特徴とする請求項１乃至４のいずれかに記載の戸締まり確認システム。
【請求項６】
サッシ等に設置されて施錠、解錠信号を送信する複数の子機と、複数の子機からの施錠、解錠信号を受信して各子機に対応するサッシ等の施錠、解錠状態を表示する親機とを備えた戸締まり確認システムにおいて、
各子機のアドレスと親機のＩＤを相互に設定する登録モードに親機を設定し、子機のいずれかから親機に対し当該子機の登録操作を示す信号と施錠又は解錠信号が規定の時間内に順に送信された場合に、当該子機に対して親機から親機のＩＤ及び当該子機に割り当てるアドレスを表す信号を送信し、当該子機にアドレスと親機のＩＤを設定する
ことを特徴とする戸締まり確認システムのＩＤ等設定方法。
【発明の詳細な説明】
【０００１】
【発明の属する技術分野】
本発明は、例えば、建屋等に設置された戸締まり確認システム及びそのＩＤ等設定方法に関する。
【０００２】
【従来の技術】
一般に、サッシ等に設置されて、施錠、解錠信号を送信する複数の子機と、複数の子機からの施錠、解錠信号を受信して、各子機に対応するサッシ等の施錠、解錠状態を表示する親機とを備え、この親機を例えば玄関等に設置して、外出時、或いは就寝時に、この親機で各サッシ等の戸締まり状態を確認できるようにした戸締まり確認システムが知られている。
【０００３】
この種のものでは、従来、この戸締まり確認システムを建屋に設置した場合、例えば親機のＩＤと子機のアドレス等を、ディップスイッチの操作により、相互個別に設定登録する作業が行われている。
【０００４】
【発明が解決しようとする課題】
しかしながら、ディップスイッチの操作により、相互個別に設定登録する作業は困難であり、誤設定が発生し易いという問題がある。
【０００５】
そこで、本発明の目的は、上述した従来の技術が有する課題を解消し、ＩＤ等を簡単に設定登録することができ、誤設定の発生しない戸締まり確認システム及びＩＤ等設定方法を提供することにある。
【０００６】
【課題を解決するための手段】
請求項１記載の発明は、サッシ等に設置されて、施錠、解錠信号を送信する複数の子機と、複数の子機からの施錠、解錠信号を受信して、各子機に対応するサッシ等の施錠、解錠状態を表示する親機とを備えた戸締まり確認システムにおいて、各子機のアドレスと親機のＩＤを相互に設定する登録モードに親機を設定し、子機のいずれかから親機に対し当該子機の登録操作を示す信号と施錠又は解錠信号が規定の時間内に順に送信された場合に、当該子機に対して親機から親機のＩＤ及び当該子機のアドレスを表す信号を送信し、当該子機にアドレスと親機のＩＤを設定する設定手段を備えたことを特徴とするものである。
請求項２記載の発明は、請求項１に記載の戸締まり確認システムにおいて、前記子機は、登録操作のための登録スイッチを有し、当該登録スイッチに対する操作状態が一定時間継続した場合に前記登録操作を示す信号を送信することを特徴とする。
請求項３記載の発明は、請求項１又は２に記載の戸締まり確認システムにおいて、前記親機は、各子機に対応するサッシ等の施錠、解錠状態を、子機ごとに割り当てられるＬＥＤの点灯状態で表示する表示装置を有し、前記登録モードに設定された場合には、登録対象の子機が割り当てられるＬＥＤの表示状態を点滅表示に変えることを特徴とする。
請求項４記載の発明は、請求項３に記載の戸締まり確認システムにおいて、前記親機は、前記登録モードにおいて子機を登録した場合、当該子機が割り当てられた前記表示装置のＬＥＤの表示状態を点灯状態に変え、次の子機が割り当てられるＬＥＤの表示状態を点滅表示に変えることを特徴とする。
請求項５記載の発明は、請求項１乃至４のいずれかに記載の戸締まり確認システムにおいて、前記親機は、前記子機から前記登録操作を示す信号を受信した時と、当該子機から前記施錠又は解錠信号を受信した時とで異なる報音を行うことを特徴とする。
【０００７】
請求項６記載の発明は、方法の発明であって、サッシ等に設置されて施錠、解錠信号を送信する複数の子機と、複数の子機からの施錠、解錠信号を受信して各子機に対応するサッシ等の施錠、解錠状態を表示する親機とを備えた戸締まり確認システムにおいて、各子機のアドレスと親機のＩＤを相互に設定する登録モードに親機を設定し、子機のいずれかから親機に対し当該子機の登録操作を示す信号と施錠又は解錠信号が規定の時間内に順に送信された場合に、当該子機に対して親機から親機のＩＤ及び当該子機のアドレスを表す信号を送信し、当該子機にアドレスと親機のＩＤを設定することを特徴とするものである。
【０００８】
請求項１、２記載の発明では、登録モードに設定し、複数の子機から親機に対し施錠又は解錠信号を順に送信し、親機から施錠又は解錠信号を送信した子機に親機のＩＤ等を表す信号を順に送信することで、複数の子機に親機のＩＤ等を簡単に設定することができる。
【０００９】
従って、ディップスイッチを使った操作に比べ、登録作業性を向上させることができ、過誤登録が防止される。
【００１０】
【発明の実施の形態】
以下、本発明の実施の形態を図面に基づいて説明する。
【００１１】
図１は、戸締まり確認システムを示す。この戸締まり確認システム１は、例えば台所、トイレ、居間、和室、浴室、玄関等に設置された各サッシ１００におけるクレセント３に接続された子機５と、これら複数の子機５に無線で接続された親機７とを備えて構成されている。この親機７は、例えば玄関に設置され、複数の子機５からのクレセント施錠、解錠信号を受信して、各子機５に対応するサッシ１００の施錠、解錠状態を表示する表示装置９を有する。
【００１２】
この表示装置９は、図２に示すように、ディスプレイ９Ａ上に複数のＬＥＤ１１Ａ、１１Ｂ、１１Ｃ…を備え、各ＬＥＤ１１が、いずれかの子機５に対応して記憶されており、対応する子機５が施錠された場合、この施錠信号を受信して、これに対応するＬＥＤ１１が点滅又は点灯する。
【００１３】
図３は、子機５及び親機７のブロック図である。
【００１４】
親機７は商用１００Ｖ電源に接続される電源部７１を有し、この電源部７１にＣＰＵ７２、固定ＩＤ記憶メモリ７３、表示装置９を構成する表示部７４及び送受信部７５を接続して構成されている。７６はアンテナ、７７は登録スイッチである。複数の子機５は同一の構造を有する。各子機５は電池５１を内蔵し、この電池５１にＣＰＵ５２、ＩＤ・アドレス記憶メモリ５３、登録スイッチ５４及び送受信部５５を接続して構成されている。５６はアンテナである。
【００１５】
ここで、登録スイッチ５４，７７は、親機７のＩＤと子機５のアドレス等を、相互個別に設定登録する場合に用いられる。上記子機５は、例えば台所、トイレ、居間、和室、浴室、玄関等の窓という窓すべてに設置されるため、この子機５の台数は、例えば３０個以上とかなりの数になる。
【００１６】
以下、図４〜図６を参照して、親機７のＩＤと子機５のアドレス等を、相互個別に設定登録する手順を説明する。
【００１７】
図４は、登録作業時の親機７側の制御フローを示す。上記登録スイッチ７７（図２）が押されたか否かが判定され（Ｓ１）、押された場合、図２の第１番目のＬＥＤ１１Ａが点滅する（Ｓ２）。
【００１８】
この点滅は、登録モードに設定されたことを表示する。ついで、子機５から送信があるか否か、すなわち子機５の登録スイッチ５４が押されたか否かが判定され（Ｓ３）、それが押されない場合、所定時間待機して（Ｓ４）、ＬＥＤ１１Ａを消灯し（Ｓ５）、登録モードを解除し、Ｓ１に移行する。
【００１９】
Ｓ３で、登録スイッチ５４が押された場合、親機７のＩＤと子機５のアドレス等の、相互個別の設定登録が行われる。
【００２０】
まず、図２のブザー１５が１回鳴り（Ｓ６）、子機５から送信があるか否か、すなわち今度は子機５からクレセント施錠、解錠信号の送信があるか否かが判定される（Ｓ７）。この送信がない場合、所定時間待機して（Ｓ８）、上記ＬＥＤ１１Ａを消灯し（Ｓ９）、登録モードを解除し、Ｓ１に移行する。
【００２１】
本実施形態では、Ｓ７で、子機５側のクレセント３を開状態から閉状態に順に操作し、この操作で発生する施錠信号を親機７に送信する。
【００２２】
クレセント３を開状態から閉状態に操作した第１番目の子機５から、この施錠信号が送られると、親機７は、固定ＩＤ記憶メモリ７３に記憶されている固定ＩＤを表す信号を、第１番目の子機５に対して送信する（Ｓ１０）。これが送信されると、図２のブザー１５が２回鳴り（Ｓ１１）、第１番目の子機５に対応した、第１番目のＬＥＤ１１Ａが点灯する（Ｓ１２）。
【００２３】
この段階で、第１番目の子機５のＩＤ・アドレス記憶メモリ５３に、この子機５のアドレスと、親機７のＩＤが記憶される。
【００２４】
ついで、上記登録スイッチ７７を押すと、第１番目のＬＥＤ１１Ａが点灯したまま、第２番目のＬＥＤ１１Ｂが点滅する（Ｓ１３）。
【００２５】
そして、Ｓ１４に移り、上記手順が繰り返されて、第２番目のＬＥＤ１１Ｂとそれに対応する子機５との関係付けが行われる。この繰り返し操作により、順次、ＬＥＤ１１を点滅し、点灯させて、親機７のＩＤと全子機５のアドレス等の相互個別の設定登録が行われる。
【００２６】
図５は、登録作業時の子機５側の制御フローを示す。
【００２７】
子機５側では、登録スイッチ５４が押されたか否かが判定され（Ｓ２１）、押された場合、押された状態が４秒間継続したか否かが判定され（Ｓ２２）、４秒間継続した場合、その信号が送信される（Ｓ２３）。登録スイッチ５４が押されても、押された状態が４秒間継続しない場合、信号は送信されない。誤操作による誤登録を防止するためである。
【００２８】
ついで、クレセント３が開状態から閉状態に操作されたか否かが判定され（Ｓ２４）、閉状態に操作されない場合、所定時間待機して（Ｓ２５）、登録モードを解除する（Ｓ２９）。閉状態に操作された場合、この操作で発生した施錠信号を親機７に送信する（Ｓ２６）。
【００２９】
つぎに、親機７から送られてくる親機７のＩＤ、子機５のアドレスを受信したか否かが判定され（Ｓ２７）、受信しない場合、所定時間待機して（Ｓ２８）、登録モードを解除する（Ｓ２９）。受信した場合、親機７のＩＤ、子機５のアドレスをＩＤ・アドレス記憶メモリ５３に登録する（Ｓ３０）。
【００３０】
本実施形態では、戸締まり確認システム１を建屋に設置した後、例えば、２人で上記の設定登録作業を行う。一人は、親機７の登録スイッチ７７を順次操作し、もう一人は、図５のＳ２１で子機５の登録スイッチ５４を押すと共に、図４のＳ７で、クレセント３を開状態から閉状態に順に操作する。この操作によって、親機７のＩＤと子機５のアドレスが設定される。
【００３１】
この操作によれば、従来のディップスイッチを使った操作に比べて、より簡単に設定でき、しかも誤設定することがない。
【００３２】
上記の設定登録作業は一人で行うことが可能である。この場合、戸締まり確認システム１を建屋に設置する前に、親機７と複数の子機５とを一人の手元に並べて、相互通信させて行われる。この場合、戸締まり確認システム１を建屋に設置する前であるため、図４のＳ７では、クレセント３を開状態から閉状態に順に操作することができない。そのためには、クレセント３を開状態から閉状態に操作したと同様の信号が出力されるよう、子機５に対して、信号出力用マグネット等を近づける操作が必要になる。
【００３３】
上記のように、設定登録作業が簡易化されるため、上記子機５が、例えば台所、トイレ、居間、和室、浴室、玄関等の窓という窓すべてに設置され、この子機５の台数が、例えば３０個以上とかなりの数になったとしても、その作業自体を簡単に終了させることができる。
【００３４】
本システムでは、例えば子機５が故障して、これを交換した場合、この子機５に対する設定登録が、図６に従い実行される。
【００３５】
例えば、第３番目のＬＥＤ１１Ｃに対応する子機５が交換された場合、まず図４を参照して、登録スイッチ７７を押して（Ｓ１）、図２の第１番目のＬＥＤ１１Ａを点滅させる（Ｓ２）。ついで図６の制御に移行し、再び登録スイッチ７７を押し（Ｓ３１）、上記ＬＥＤ１１Ａを消灯し（Ｓ３２）、図２の第２番目のＬＥＤ１１Ｂを点滅させる（Ｓ３３）。子機５の番号を１番繰り上げて（Ｓ３４）、再び登録スイッチ７７を押し（Ｓ３５）、上記第２番目のＬＥＤ１１Ｂを消灯し（Ｓ３６）、図２の第３番目のＬＥＤ１１Ｃを点滅させる（Ｓ３７）。
【００３６】
そして、再び子機５の番号を１番繰り上げ（Ｓ３８）、図４のＳ３に移行し、それ以降、Ｓ１３までの過程を経て、第３番目のＬＥＤ１１Ｃとそれに対応する子機５との関係付けが行われる。
【００３７】
本実施形態では、例えば子機５が故障して、これを交換した場合、該当するＬＥＤ１１Ｃを呼び出すための、図６に示すいわゆるスキップ過程を経て、この子機５に対する設定登録が行われるため、その設定登録作業を迅速に、かつ正確に行うことができる。
【００３８】
以上、本発明を上記実施の形態に基づいて説明したが、本発明はこれに限定されるものではない。
【００３９】
【発明の効果】
請求項１、２記載の発明は、登録モードに設定し、複数の子機から親機に対し施錠又は解錠信号を順に送信し、親機から施錠又は解錠信号を送信した子機に親機のＩＤ等を表す信号を順に送信することで、複数の子機に親機のＩＤ等を簡単に設定することができる。
【００４０】
従って、ディップスイッチを使った操作に比べ、登録作業性を向上させることができ、過誤登録が防止される。
【図面の簡単な説明】
【図１】本発明による戸締まり確認システム及びサッシの一実施形態を示す図である。
【図２】親機の表示装置を示す図である。
【図３】親機と子機のブロック図である。
【図４】親機のフローチャートである。
【図５】子機のフローチャートである。
【図６】子機交換時のフローチャートである。
【符号の説明】
１  戸締まり確認システム
３  クレセント
５  子機
７  親機
９  表示装置
１１Ａ、１１Ｂ、１１Ｃ…  ＬＥＤ
５１  電池
５２  ＣＰＵ
５３  時計
５４  登録スイッチ
５５  送受信部
７１  電源部
７２  ＣＰＵ
７３  時計
７５  送受信部
７７  登録スイッチ
【図１】
0004093788.tif 000002
【図２】
0004093788.tif 000003
【図３】
0004093788.tif 000004
【図４】
0004093788.tif 000005
【図５】
0004093788.tif 000006
【図６】
0004093788.tif 000007